(57)【要約】【課題】装置本体を直接床面に据付けるタイプの遊技装置において、装置本体の床面への固定と水平度の調整の両方を同時に満たし、保守管理を容易化することができる遊技装置及びその設置構造を提供する。【解決手段】複数の図柄列を回転表示する表示手段と、複数の図柄列の回転を開始する起動スイッチ及び複数の図柄列の回転を個々に停止する停止スイッチを有する操作面とを装置本体の前面に備えた遊技装置において、前記装置本体の底面に、床面に固定設置される据付用ベースに固定ボルトを介して遊技装置を固定設置するための固定ボルト取付け用孔と、遊技装置の水平度を調整するためのレベル調整機構とを各々複数個設けてなる遊技装置。【選択図】        図１
2004267414.tif 000002
【特許請求の範囲】
【請求項１】
複数の図柄列を回転表示する表示手段と、複数の図柄列の回転を開始する起動スイッチ及び複数の図柄列の回転を個々に停止する停止スイッチを有する操作面とを装置本体の前面に備えた遊技装置において、
前記装置本体の底面に、床面に固定設置される据付用ベースに固定ボルトを介して遊技装置を固定設置するための固定ボルト取付け用孔と、遊技装置の水平度を調整するためのレベル調整機構とを各々複数個設けた
ことを特徴とする遊技装置。
【請求項２】
複数の図柄列を回転表示する表示手段と、複数の図柄列の回転を開始する起動スイッチ及び複数の図柄列の回転を個々に停止する停止スイッチを有する操作面とを装置本体の前面に備えた遊技装置の設置構造において、
前記遊技装置本体の底面に、各々複数個設けられる固定ボルト取付け用孔及びレベル調整機構と、
遊技装置を設置する床面に対し固定設置される据付用ベースとを具備し、
前記床面に固定設置される据付用ベースに対し前記遊技装置本体の底面を複数本の固定ボルトを介して固定すると共に、前記レベル調整機構により遊技装置の水平度を調整可能となした
ことを特徴とする遊技装置の設置構造。
【請求項３】
請求項２に記載の遊技装置の設置構造において、
前記据付用ベースを、前記床面に設けられた複数のボルト孔に対し複数本のアンカーボルトを介して固定設置してなる
ことを特徴とする遊技装置の設置構造。
【請求項４】
請求項２又は３のいずれか１項に記載の遊技装置の設置構造において、
前記据付用ベースを、前記固定ボルトの締付け用ネジ孔を備えると共に、前記装置本体を載置するための枠状フレーム部材と、該枠状フレーム部材に対し一体に設けられ、前記アンカーボルトを介して前記床面に固定されるボルト貫通孔を有するベースプレートとから構成してなる
ことを特徴とする遊技装置の設置構造。
【発明の詳細な説明】
【０００１】
【発明の属する技術分野】
本発明は、複数の図柄列を回転させ、それを停止させた時に図柄が予め定められている組み合わせで並んだときに入賞となり、所定の配当が受けられるタイプの遊技装置であって、特にホールの床面に直接据付けられるタイプの遊技装置とその設置構造に関するものである。
【０００２】
【従来の技術】
上記したタイプの遊技装置は、外周面に所定間隔で描かれた複数の図柄列のうち一部が表示窓に表示されるように並列に配置された複数の回転胴を具備し、起動スイッチの操作によって各回転胴を互いに独立に回転を開始させた後、その回転を停止スイッチの操作によって順次停止させ、該停止時に各回転胴の図柄が予め定められている組み合わせで表示窓に並んだときに入賞となり、各々所定の配当が受けられるように構成されている。
【０００３】
図４は従来の遊技装置の一例を示すもので、装置本体４０の前面に手前に突き出した操作テーブル４１を設け、該操作テーブル４１上に遊技媒体投入機構４２ａ〜４２ｃ及び４３、起動スイッチ４４、並びに停止スイッチ４５ａ〜４５ｃを配置し、図５に示すように遊技者５０が操作テーブル４１に腕を載せた状態で遊技装置の操作を行うことができるようにしている。なお、この操作テーブル４１は、停止スイッチ４５ａ〜４５ｃを挟んで両側に肘当てパッド４６ａ、４６ｂが設けられているように左右に分断されている（例えば特許文献１参照）。
【０００４】
【特許文献１】
特開２００１−７９１３９公報
【０００５】
この遊技装置によれば、各スイッチ類の操作に際して、遊技者５０は腕を操作テーブル４１に載せたまま、各肘の回動運動による手の動きだけで操作が可能となるため、手を浮かせて操作するものに比べて疲労感を少なくし、長時間遊技が行えるようになる。
また、この種遊技装置は、一般的に図４に示すように遊技島を構成し、１つの島内に複数台の遊技装置を並設すると共に、その間に所謂サンドと称する遊技媒体貸しユニット４７を設置することが多かったが、最近では床面に直接据付けられるタイプの遊技装置も出現している。
【０００６】
しかしながら、この床面据付けタイプの遊技装置は、床面に直接据付けるものであるため、固定構造と水平度調整を如何にするかに難しさがある。通常は装置本体の底面に設けたレベル調整機構付き脚部により装置本体を支持するようにしているが、この場合、固定構造とすることができないことから、位置ずれに伴って水平度が狂う等、保守管理に手間がかかるという問題を内包している。
そこで、装置本体を直接床面に固着するためのアンカーボルトをコンクリート床面に埋め込む方式の固定構造が考えられるが、大掛かりな工事が必要となる等の問題がある。
【０００７】
【発明が解決しようとする課題】
本発明は、上記した問題に対処するためになされたものであって、その第一の課題は、装置本体を直接床面に据付けるタイプの遊技装置において、装置本体の床面への固定と水平度の調整の両方を同時に満たし、保守管理を容易化することができる遊技装置及びその設置構造を提供することにある。
また、本発明の他の課題は、遊技装置を据付ける床面に対する大掛かりな工事を無くし、該工事を簡略化することができると共に、遊技装置の入れ替え等にも簡易に対応できる遊技装置及びその設置構造を提供することにある。
【０００８】
【課題を解決するための手段】
上記した課題を解決するため、本発明の請求項１に係る遊技装置は、複数の図柄列を回転表示する表示手段と、複数の図柄列の回転を開始する起動スイッチ及び複数の図柄列の回転を個々に停止する停止スイッチを有する操作面とを装置本体の前面に備えた遊技装置において、前記装置本体の底面に、床面に固定設置される据付用ベースに固定ボルトを介して遊技装置を固定設置するための固定ボルト取付け用孔と、遊技装置の水平度を調整するためのレベル調整機構とを各々複数個設けたことを特徴とするものである。
このように構成することにより、ホールの床面に据付けられるタイプの遊技装置において、装置本体をその底面に設けられている固定ボルト取付け用孔を介して固定ボルトにより床面に設置されている据付用ベースに締付け固定することができると共に、レベル調整機構によってその水平度を調整することができる。
【０００９】
また、本発明の請求項２に係る遊技装置の設置構造は、複数の図柄列を回転表示する表示手段と、複数の図柄列の回転を開始する起動スイッチ及び複数の図柄列の回転を個々に停止する停止スイッチを有する操作面とを装置本体の前面に備えた遊技装置の設置構造において、前記遊技装置本体の底面に、各々複数個設けられる固定ボルト取付け用孔及びレベル調整機構と、遊技装置を設置する床面に対し固定設置される据付用ベースとを具備し、前記床面に固定設置される据付用ベースに対し前記遊技装置本体の底面を複数本の固定ボルトを介して固定すると共に、前記レベル調整機構により遊技装置の水平度を調整可能となしたことを特徴とするものである。
上記の設置構造によると、ホール床面に固定設置された据付用ベースに固定ボルトを介して装置本体の底面を締付け固定することができるため、遊技装置を床面に固定して設置することができると共に、レベル調整機構によって遊技装置の水平度を調整することができる。従って、遊技装置の床面への固定設置と水平度の調整とを同時に満たすことができる。
【００１０】
更に、本発明の請求項３に係る遊技装置の設置構造は、請求項２に記載の遊技装置の設置構造において、前記据付用ベースを、前記床面に設けられた複数のボルト孔に対し複数本のアンカーボルトを介して固定設置してなることを特徴とするものである。
このように床面に設けられた複数のボルト孔に対し複数本のアンカーボルトを介して据付用ベースを固定設置することができるため、大掛かりな工事を行うことなく、簡易に据付用ベースを設置することができる。
【００１１】
更にまた、本発明の請求項４に係る遊技装置の設置構造は、請求項２又は３のいずれか１項に記載の遊技装置の設置構造において、前記据付用ベースを、前記固定ボルトの締付け用ネジ孔を備えると共に、前記装置本体を載置するための枠状フレーム部材と、該枠状フレーム部材に対し一体に設けられ、前記アンカーボルトを介して前記床面に固定されるボルト貫通孔を有するベースプレートとから構成してなることを特徴とするものである。
据付用ベースを上記のように構成することにより、床面への据付用ベースの固定設置をアンカーボルトの締付けのみによって容易に行うことができる共に、この据付用ベースに対する遊技装置の固定据付けを固定ボルトの締付けのみにより容易に行うことができる。
【００１２】
【発明の実施の形態】
以下に本発明の実施の形態を図１乃至図３に基づいて説明する。
図１は本発明の実施形態に係る遊技装置及びその設置構造の構成を示す外観斜視図、図２はその内部構成を示す分解斜視図、図３は該遊技装置に対する遊技者の遊技姿勢を示す側面図である。
【００１３】
この実施形態に係る遊技装置１は、複数の図柄列を回転表示させる表示手段３と、複数の図柄列の回転を開始させる起動スイッチ４と、複数の図柄列の回転を個々に順次停止させる停止スイッチ５とを装置本体２の前面に間口方向に並設するように設置している。装置本体２の前面上部には、運転表示灯６、配当表示パネル７が取付けられており、表示手段３の下方には、上記した起動スイッチ４及び停止スイッチ５等が設けられた操作面８が配置されている。
【００１４】
表示手段３には、図示されていない３本の平行な線と、Ｘ字状に交差する２本の線とからなる５本の入賞ラインが描かれた窓９が設けられ、該窓９の中には外周面に複数の異なる図柄列を表示する図２に示す３つの回転胴１０ａ〜１０ｃが内蔵されている。各回転胴１０ａ〜１０ｃの停止時には、入賞ラインに沿うように３列３段、計９個の図柄が窓９から視認できるように構成されている。
【００１５】
操作面８の左方には、投入個数１、２及び３個に対応した貯留遊技媒体投入ボタン１１ａ〜１１ｃが設けられ、操作面８の右方には、個別遊技媒体投入口１２と、遊技媒体の受け皿１３とが配置されている。これら貯留遊技媒体投入ボタン１１ａ〜１１ｃと個別遊技媒体投入口１２とによって遊技媒体投入機構が構成されている。なお、遊技媒体の受け皿１３は、停止スイッチ５等を配置した操作面８及び個別遊技媒体投入口１２に隣接する位置に配設されている。また、操作面８の左端直上には、遊技媒体清算ボタン１４が設置されている。
【００１６】
更に、操作面８の中央部に設けられている図柄列の停止スイッチ５として、各回転胴１０ａ〜１０ｃに対応した停止スイッチ５ａ〜５ｃが配列されている。
また、図２に示すように、装置本体２の上部には、照明ランプ１５が内蔵されると共に、この照明ランプ１５の左右にはサイドスピーカー１６ａ、１６ｂが内蔵されている。装置本体２内部の回転胴１０ａ〜１０ｃの近傍には、集中端子基板１７と、サブ基板１８、第１メイン基板１９及び第２メイン基板２０を搭載するメイン基板取付けボード２１が取付けられている。
【００１７】
操作面８と表示手段３の窓９との間には、補給シュート２２が開口され、該補給シュート２２に投入された遊技媒体は、装置本体２の下部に内蔵されているホッパータンク２３に投入されるようになっている。ホッパータンク２３の近傍には補助収納庫２４が装着され、該補助収納庫２４はホッパータンク２３で収納しきれない遊技媒体を収納するよう構成されている。装置本体２の下部左上にはスピーカーブラケット２５を介してウーハスピーカー２６が取付けられている。
【００１８】
また、装置本体２の底面２ａの前方両側の二隅には、装置本体２のレベルを調整するためのレベル調整機構２７が設けられている。さらに、装置本体２の前面から手前側に向かって延出した操作面８には、そこから更に手前側に延出する肘掛け部２８が装置本体２の間口全体に亘って連続するよう設けられている。この肘掛け部２８は装置本体２に一体的に形成してもよく、あるいは別部品を取付け固定するようにしてもよい。
【００１９】
更に、遊技装置１の装置本体２は、上部が装飾品の内蔵部分、中央部が回転胴等の内蔵部分、下部がタンクホッパーの内蔵部分、中央部前面が操作スイッチ類の配列部分とされたテーブル型に形成されており、その側面には図示されていない所謂サンドと称しているカード対応の遊技媒体貸しユニットが付設されるようになっている。
【００２０】
この遊技媒体貸しユニットは、公知のようにカード挿入口を有するカードユニットを備えており、カードをリード・ライタする機能を有すると共に、前面中央部に設けられている金額表示画面にカードの金額を表示する機能を有している。また、遊技媒体貸しユニットは、遊技媒体払出しホッパーからシュートを介して隣接する位置に設けられている遊技装置１の遊技媒体受け皿１３に直接遊技媒体を払出しできるように構成されている。
【００２１】
一方、遊技装置１をホールの床面２９に据付けるため、遊技装置１側には前記した前方両側の二隅のレベル調整機構２７の他に、装置本体２の底面２ａに遊技装置１を床面２９に固定するための固定ボルト取付け用孔３０が少なくとも左右２箇所に設けられており、固定ボルト３１を介して床面２９に設置された据付用ベース３２に遊技装置１を固定設置できるようになっている。
【００２２】
据付用ベース３２は、チャンネル材を枠状に組んだフレーム部材３３と、この枠状フレーム部材３３に対して一体に接合されるベースプレート３４とにより方形状に構成され、該枠状フレーム部材３３上に遊技装置１と図示例ではその右側に前記した遊技媒体貸しユニットを載置できる大きさを有している。
また、枠状フレーム部材３３には、前記した固定ボルト３１を締付けるためのネジ孔３５が少なくとも２箇所に設けられ、ベースプレート３４には床面２９に設けられたボルト用孔３６に対しアンカーボルト３７を介して据付用ベース３２を固定するためのボルト貫通孔３８が４箇所に設けられている。
【００２３】
しかして、上記の実施形態においては、図３に示すように、遊技者３９は遊技媒体貸しユニットから遊技媒体の払出しを受け、その遊技媒体を遊技媒体投入口１２から投入し遊技媒体数に応じた数の入賞ラインを有効化し、次いで起動スイッチ４を操作して遊技装置１を起動する。装置が起動されると、回転胴１０ａ〜１０ｃが回転し、遊技者３９が各回転胴１０ａ〜１０ｃに対応した停止スイッチ５ａ〜５ｃを操作して該回転胴１０ａ〜１０ｃを止めることにより、入賞ライン上に図柄を停止させる。
【００２４】
そして、有効化された入賞ライン上の図柄の組み合せにより、入賞、外れが決定され、入賞の場合に所定の配当を受け、一回の遊技が終了する。以降、遊技媒体の投入、回転胴の起動及び回転胴の停止操作を順次繰り返すことによって遊技を続けることができるようになっている。
【００２５】
また、上記構成の遊技装置１によれば、遊技者３９は、肘掛け部２８に図３に示すように前腕部３９ａを置き、手を支持した状態で手の平を操作面８に対面させて左右方向にスライドさせ、遊技装置を操作することができる。このため、肘を肘当てパッドに置いた回動操作では操作領域が肘を中心とした短い円弧方向のみと極めて狭いものとなるのに比べ、該肘掛け部２８上で前腕部３９ａの前後位置を変えながら左右方向に自在にスライドすることで面状の操作領域をカバーすることができるようになる。
【００２６】
従って、操作領域全てにわたり手が届き、各肘の回動運動で得られる操作領域より広い操作領域が得られるようになる。このため、遊技者３９は上体を支えて楽な姿勢で快適に遊技することが可能となり、長時間にわたって遊技を継続しても疲労感を大幅に低減することができる。
【００２７】
また、例えば右手を肘掛け部に支持させた状態で操作面８の左端、或いはその逆のスライド動作が可能となるため、片手のみによる操作も疲労感を生じさせることなく容易に行えるようになる。更に、両肘を置くものに比べて肘掛け部２８の間口方向の長さを短く設定し、装置本体２の間口寸法を小さくすることができるため、これによっても据付け面積をセーブすることができる。
【００２８】
一方、遊技装置１の据付けに当たっては、先ずホール床面２９の所定位置に設けられているボルト用孔３６に対しアンカーボルト３７を介して据付用ベース３２を固定設置する。そして、この据付用ベース３２上に遊技装置１を位置合わせして載置した後、レベル調整機構２７により水平度を出し、その状態で装置本体２の底面２ａを据付用ベース３２の枠状フレーム部材３３に設けられているネジ孔３５に固定ボルト３１を介して締付け固定することによって、遊技装置１を直接ホール床面２９に固定した状態にして据付けることができる。
【００２９】
従って、上記した設置構造によれば、遊技装置本体２の固定と水平度の調整の両方を同時に満足することができるため、据付け後に遊技装置１が位置ずれを発生して水平度が狂う等の問題が生ずることもなくなり、保守管理を容易化することができる。
【００３０】
また、据付用ベース３２をアンカーボルト３７の締付けのみによって容易に固定設置することができるため、遊技装置１を床面２９に対して固定設置するためのアンカーボルトをコンクリート床面に埋め込む等の大掛かりな工事をする必要がなく、遊技装置１を据付けるための工事を簡略化することができると共に、遊技装置１の入れ替え等にも簡易に対応することができるようになる。
【００３１】
なお、遊技装置１を据付用ベース３２上に据付けた後、同じ据付用ベース３２上の図示例では右隣にサンドと称するカード対応型の遊技媒体貸しユニットを設置することにより、遊技装置１に対して遊技媒体貸しユニットを付設した状態とし遊技の便に供することができるようになっている。
【００３２】
【発明の効果】
以上に詳細に説明したように、本発明に係る遊技装置及びその設置構造によると、装置本体を直接床面に据付けるタイプの遊技装置において、装置本体の床面への固定と水平度の調整の両方を同時に満たすことができるようになるため、保守管理を容易化することができる。
【００３３】
また、遊技装置を据付ける床面にアンカーボルトを埋め込み設置する等の大掛かりな工事を無くすることができるため、遊技装置の据付け工事を簡略化することができると共に、遊技装置の入れ替え等にも簡易に対応することができるようになる等の効果を期待できる。
【図面の簡単な説明】
【図１】本発明の実施形態に係る遊技装置及びその設置構造の構成を示す外観斜視図である。
【図２】本発明の実施形態に係る遊技装置の内部構成を示す分解斜視図である。
【図３】本発明の実施形態に係る遊技装置に対する遊技者の遊技姿勢を示す側面図である。
【図４】従来の遊技装置の外観斜視図である。
【図５】従来の遊技装置に対する遊技者の遊技姿勢を示す側面図である。
【符号の説明】
１…遊技装置、２…装置本体、２ａ…底面、３…表示手段、４…起動スイッチ、５…停止スイッチ、８…操作面、２７…レベル調整機構、２９…床面、３０…固定ボルト取付け用孔、３１…固定ボルト、３２…据付け用ベース、３３…枠状フレーム部材、３４…ベースプレート、３５…締付け用ネジ孔、３６…ボルト孔、３７…アンカーボルト、３８…ボルト貫通孔
【図１】
2004267414.tif 000003
【図２】
2004267414.tif 000004
【図３】
2004267414.tif 000005
【図４】
2004267414.tif 000006
【図５】
2004267414.tif 000007